(57)【特許請求の範囲】
【請求項１】
容器のフランジ部に、シールするほぼ四角の外形形状をした紙製蓋であって、
外形の四角の面積を二分する中央分割表半切れ線によって二つに分割し、
分割された蓋に、それぞれ、２本の切り込み線による把手片を設け、
該把手片の切り込み線の根元端部より内側に把手片用裏半切れ線を施し、
さらに、中央分割表半切れ線に一定の幅を有する２本の平行な中央裏半切れ線を施して、上記把手片用裏半切れ線に繋げ、
把手片用裏半切れ線の外側に一定の幅を有する２本の平行な把手表半切れ線を設け、
フランジ部内縁に沿って平行に一定の幅を有する周縁裏半切れ線を施して中央裏半切れ線と把手片用裏半切れ線に繋げ、
該周縁裏半切れ線の外側に、周縁表半切れ線を施して、切り込み線に繋げたことを特徴とする紙製蓋。
【請求項２】
把手片が、中央分割表半切れ線と外形との交点にあって、互い違いとなる位置に設けた事を特徴とする請求項１に記載の紙製蓋。
【請求項３】
中央分割表半切れ線は、外形の四角の向かい合う２辺の中央で表半切れ線によって二つに分割されていることを特徴とする請求項１又は２に記載の紙製蓋。
【請求項４】
把手片に隣接する角において、周縁表半切れ線、及び周縁裏半切れ線の双方が他の角よりも大きな半径の曲線で形成したことを特徴とする請求項１〜３のいずれかに記載の紙製蓋。
【請求項５】
把手片の切り込み線とその切り込み線に平行な把手表半切れ線との間に、切り込み線の途中から、把手片の切り込み線に対し４５度以下の角度で補助表半切れ線を施したことを特徴とする請求項１〜４のいずれかに記載の紙製蓋。
【請求項６】
把手片の補助表半切れ線において、把手片の切り込み線との交点近傍を、紙製蓋を切り込んだ線としたことを特徴とする請求項５に記載の紙製蓋。
【請求項７】
請求項１〜６のいずれかの紙製蓋を融着したことを特徴とする容器。
【発明の詳細な説明】
【技術分野】
【０００１】
本発明は、製品を収納する容器にシールする、紙を基材とする紙製蓋に関し、部分的に開口可能な紙製蓋に関する。
【背景技術】
【０００２】
フランジを有する容器に用いられ、蓋を剥がして開封する紙を基材とする紙製蓋は、内容物の残りと共に、洗浄せずにそのまま廃棄できる。
しかし、紙製の蓋をシール部から剥がし開封しようとすると、シール強度が強すぎる場合剥がれ難く、厚紙の裏面で紙ムケが発生し外観上好ましくないものであった。また、シール強度が弱すぎると意に反して剥がれてしまうなどの問題があった。
【０００３】
このような問題に対し、例えば、特許文献１では、
四角状容器のフランジ部に、該フランジ部と略同形のシール部をシールする紙製蓋であって、その一コーナーに２本の切り込み線による把手片を設け、該切り込み線の先端より中心に向かって把手片用裏半切れ線を施し、該把手片用裏半切れ線の中心側先端より外側に前記シール部内縁に沿って周縁裏半切れ線を施し、さらに該周縁裏半切れ線の外側に一定の幅を有する周縁表半切れ線を施してなり、前記切り込み線の１／２以下で中心側に短い予備裏半切れ線を設け、該短い予備裏半切れ線の中心まで前記把手片用裏半切れ線を延長して設けてなることを特徴とする紙製蓋を提案している。
この方法では、シール部に紙ムケなどの問題が発生せず、ハサミやナイフなどを用いなくても、外観上きれいに、確実に開封することが出来る。
【０００４】
しかしながら、この特許文献１では、開封時に、容器開口部全体を開くことは出来るが、部分的に、半分だけ開口する時には、不用意な破れが生じ易く、残った蓋が変形していて、内容物の取出しで周囲を汚しやすい、残存内容物の保管がしにくいなど、多くの問題が生じていた。
【先行技術文献】
【特許文献】
【０００５】
【特許文献１】特許第３９２４９８６号公報
【発明の概要】
【発明が解決しようとする課題】
【０００６】
そこで、容器の開口部を一体的に閉鎖するが、開口部を部分で別々にきれいに分けた状態で開封可能な紙製の蓋を得ることが本発明の課題である。
【課題を解決するための手段】
【０００７】
本発明の請求項１に係る発明は、
容器のフランジ部に、シールするほぼ四角の外形形状をした紙製蓋であって、
外形の四角の面積を二分する中央分割表半切れ線によって二つに分割し、
分割された蓋に、それぞれ、２本の切り込み線による把手片を設け、
該把手片の切り込み線の根元端部より内側に把手片用裏半切れ線を施し、
さらに、中央分割表半切れ線に一定の幅を有する２本の平行な中央裏半切れ線を施して、上記把手片用裏半切れ線に繋げ、
把手片用裏半切れ線の外側に一定の幅を有する２本の平行な把手表半切れ線を設け、
フランジ部内縁に沿って平行に一定の幅を有する周縁裏半切れ線を施して中央裏半切れ線と把手片用裏半切れ線に繋げ、
該周縁裏半切れ線の外側に、周縁表半切れ線を施して、切り込み線に繋げたことを特徴とする紙製蓋である。
【０００８】
本発明の請求項２に係る発明は、
把手片が、中央分割表半切れ線と外形との交点にあって、互い違いとなる位置に設けた事を特徴とする請求項１に記載の紙製蓋である。
【０００９】
本発明の請求項３に係る発明は、
中央分割表半切れ線は、外形の四角の向かい合う２辺の中央で表半切れ線によって二つに分割されていることを特徴とする請求項１又は２に記載の紙製蓋である。
【００１１】
本発明の請求項４に係る発明は、把手片に隣接する角において、周縁表半切れ線、及び周縁裏半切れ線の双方が他の角よりも大きな半径の曲線で形成したことを特徴とする請求項１〜３のいずれかに記載の紙製蓋である。
【００１２】
本発明の請求項５に係る発明は、把手片の切り込み線とその切り込み線に平行な把手表半切れ線との間に、切り込み線の途中から、把手片の切り込み線に対し４５度以下の角度で補助表半切れ線を施したことを特徴とする請求項１〜４のいずれかに記載の紙製蓋である。
【００１３】
本発明の請求項６に係る発明は、把手片の補助表半切れ線において、把手片の切り込み線との交点近傍を、紙製蓋を切り込んだ線としたことを特徴とする請求項５に記載の紙製蓋である。
【００１４】
本発明の請求項７に係る発明は、請求項１〜６のいずれかの紙製蓋を融着したことを特徴とする容器である。
【発明の効果】
【００１５】
本発明の紙製蓋は、容器間口の開口部を分割して開口することが出来る。その為、内容物が固形の場合、半分だけ取出し、残りの半分を保管することも可能である。
また、内容物が液体の場合、開口部が全面的に開かないようにできるので、こぼれ難く、内容物が溶けたり、冷めたりしにくい。
さらに、２つの開口部は、どちらでも開封することが可能で、開封順序は自由に選択可能である。
【図面の簡単な説明】
【００１６】
【図１】本発明の紙製蓋を融着した容器の第１実施形態を示した平面図と正面図である。
【図２】本発明の紙製蓋の第１実施形態における把手近傍の部分拡大図と、開封した紙製蓋近傍の拡大断面図である。
【図３】本発明の紙製蓋を融着した容器の第１実施形態の容器を右側から見た縦断面図で、開封する工程を示した図である。
【図４】本発明の紙製蓋を融着した容器の第２実施形態を示した平面図と正面図である。
【図５】本発明の紙製蓋を融着した容器の第３実施形態を示した平面図と正面図である。
【図６】本発明の紙製蓋を融着した容器の第４実施形態を示した平面図と正面図である。
【図７】本発明の紙製蓋を融着した容器の第５実施形態を示した平面図と正面図である。
【図８】本発明の紙製蓋を融着した容器の第６実施形態を示した平面図と正面図である。
【発明を実施するための形態】
【００１７】
以下、本発明の紙製蓋の実施の形態例について、図を用いて詳細に説明する。
本発明の紙製蓋２は、図１−１、図１−２、図２−１で示すように、融着面が４角形状の容器１のフランジ１１にシールする紙製蓋２であって、容器１のフランジ１１とほぼ同じ外形形状をした紙製蓋２である。
そして、紙製蓋２は、外形の四角の面積を二分する中央分割表半切れ線２１によって二つに分割されている。この第１の実施形態では、中央分割表半切れ線は、外形の四角の向かい合う２辺の中央で表半切れ線によって二つに分割されている。
もちろん、中央分割表半切れ線は、完全に２等分する線でなくてもかまわない。内容物によっては、２対１のように、左右で違った割合の位置に中央分割表半切り線を設けてもかまわない。
【００１８】
また、把手片が、中央分割表半切れ線と外形との交点にあって、互い違いとなる位置に設けてあって、分割された蓋に、それぞれ、２本の切り込み線２２により把手片２３が設けられている。
この把手片２３の切り込み線２２の根元端部より内側には、把手片用裏半切れ線２４を施している。
【００１９】
さらに、中央分割表半切れ線２１に一定の幅を有する２本の平行な中央裏半切れ線２５を施して、上記把手片用裏半切れ線２４に繋げている。
しかも、把手片の切り込み線とその切り込み線に平行な周縁表半切れ線との間に、切り込み線の途中から、把手片の切り込み線に対し４５度以下の角度で補助表半切れ線２９を施し、かつ、把手片の切り込み線との交点近傍を切り込み線とした。
その上、把手片用裏半切れ線２４の外側に一定の幅を有する２本の平行な把手片表半切れ線２６を設けた。
そして、フランジ部内縁１１１に沿って平行に一定の幅を有する周縁裏半切れ線２７を施して中央裏半切れ線２５と把手片用裏半切れ線２４に繋げた。
さらに、該周縁裏半切れ線２７の外側に、周縁表半切れ線２８を施し、切り込み線２２あるいは把手片用裏半切れ線２４に繋げている。周縁表半切れ線２８の位置は、フランジ部内縁１１１より外側であっても、内側であってもかまわないが、周縁裏半切れ線２７は、フランジ部内縁１１１の位置よりも外側にならない位置に設ける。
【００２０】
上記事例では融着部が４角形状の容器を４角形状紙製容器と想定しているが、４角形状プラスチック製容器であってもかまわない。しかし、資源問題や廃棄物に係わる環境問題から、紙製が好ましい。
【００２１】
図２−１、図３、及び図２−２で示すように、本発明の紙製蓋２の開封は、把手片２３を手でつまんで、上に引き上げ、切り込み線２２に従い、フランジ部１１から剥がす。
さらに把手片２３を引っ張り上げると、把手片用裏半切れ線２４に従い、蓋表面が持ち上がり、かつ、補助表半切れ線２９に沿って破断しながら、補助表半切れ線２９に繋がっている把手片表半切れ線２６も破断し始める。
ここで、それぞれの表半切り線と裏半切り線は、一定の幅を有して設けられているので、基材の紙が層の内部で裂けた層間剥離しながら破断していく。
この表半切り線と裏半切り線の幅の設定は、０．５〜３ｍｍとする。
層間剥離しながら破断する為、把手片用裏半切れ線２４に繋がる中央裏半切れ線２５と周縁裏半切れ線２７がめくり上がり、その影響で、表側も把手片表半切れ線２６に繋がる中央分割表半切れ線２１と周縁表半切れ線２８とが連続してさらに破断していく。
この方法では、紙製蓋のシール部に紙ムケ等がなく、外観上きれいに、確実に開封可能な紙製蓋を提供することができる。特に把手片２３が２本の切り込み線２２からなるので、開封のスタート性を良くし、容易に開封可能にすることができる。
【００２２】
また、フランジ角部でも曲線で繋ぎ、角で予定の半切れ線から離れ、蓋が途中で切れてしまわないようにしている。
特に、中央分割表半切れ線２１に交じり合わない把手片２３に隣接する角においては、周縁表半切れ線２８と周縁裏半切れ線２７の双方は、大きな半径の曲線で形成されている。この半径は、小さく分割されたフランジの長さの５０パーセント以上９５パーセント未満が望ましい。
これは、周縁表半切れ線２８や周縁裏半切れ線２７に特に無理が掛かり易い所なので、把手片２３に接続した蓋材から切れてしまわないようにする為である。
蓋の開封状態は、図２−２のように、表と裏の半切れ線がずれて行き、図３のように蓋２の半分が開封される。
【００２３】
図４は、把手片２３の角度をフランジに対して４５度にしたもので、部分的にめくり易くしている第２の実施形態例である。
【００２４】
図５は、把手片２３の角度を中央分割表半切れ線に平行にしたもので、部分的にめくり易くしている第３の実施形態例である。把手片２３と周縁表半切れ線２８や周縁裏半切れ線２７との繋ぎ部分を曲線で結び、把手片２３が切れてしまわないようにしていると共に、残りの蓋の半分を残し易いようにしている。
【００２５】
図６は、把手片２３の位置をフランジ１１の角に設けて、より大きく開封し易くした第４の実施形態例である。
【００２６】
図７は、半分の蓋を開封した時に、フランジの対角線状に開封できるようにしたもので、中央分割表半切れ線２１や中央分割裏半切れ線２５が、フランジの対角線状に平行に設けられている第５の実施形態例である。この蓋の場合、内容物が大きなものでも出しやすいし、内容物にタレのようなものが絡んでいる場合、こぼしたりしにくい。
【００２７】
図８は、半分の蓋を開封した時に、台形形状に開封できるようにしたもので、中央分割表半切れ線２１や中央分割裏半切れ線２５が、フランジに対し、の対角線状に平行に設けられている第６の実施形態例である。この蓋の場合、内容物が長いものの場合でも出し易いし、こぼしにくい特徴がある。
【００２８】
本発明は以上のようなもので、容器本体は紙製であっても、プラスチックシートの真空成形や圧空成形したものであっても、射出成形したものでもかまわない。
紙製の場合、坪量は、２００ｇ／ｍ２から８００ｇ／ｍ２で、密度を０．６〜１．１ｇ／ｃｍ３の紙を基材にして、紙の裏をポリエチレンなどの熱可塑性樹脂フィルムで覆い、ビク刃で打ち抜き、周囲を貼りあわせた積層シートを用いると良い。
【００２９】
本発明の紙製蓋に使用する基材の紙は、坪量を２００ｇ／ｍ２から５００ｇ／ｍ２の板紙で、表面に印刷する必要があるので少なくとも片面が白いコートマニラ、コートボール、アイボリーなどを用いることができる。さらに、四角状紙製容器のフランジ部１１にヒートシール等でシールする必要があるので、裏面に１５μｍ〜８０μｍの薄いポリエチレンフィルム、エチレン・酢酸ビニル共重合体、あるいはポリプロピレンフィルムなどのシール適性に優れた熱可塑性フィルムを貼り合せた積層シートが使用される。これら熱可塑性フィルムは、内容物が食品の場合の衛生性をも考慮するもので、かつ防湿の役目もする。
これらは、ドライラミネーション機やエクストルーダーラミネーション機を用いて、容易に製造することが出来る。
また、把手片２３の切り込み線２２延長上に把手片用裏半切れ線２４を設けたので、上記
のように把手片２３を引き上げると把手片用裏半切れ線２４に従い蓋表面が破れ、一見して開封した破れ跡が残るので、この紙製蓋２にバージン性も持たせることができる。
【００３０】
上記周縁裏半切れ線２７と周縁表半切れ線２８の間の幅は、紙製蓋２のサイズによっても異なるが、１〜３ｍｍとする。３ｍｍより大きすぎると上記板紙の層間剥離がスムースにいかず、１ｍｍより小さいと、周縁裏半切れ線２７と周縁表半切れ線２８を蓋の表裏からそれぞれの刃が入るが、その位置が合わず、両者が重ね合う危惧があり、重ね合うと全切れとなり開封した状態となるので好ましくない。
これは、中央分割裏半切れ線２５と中央分割表半切れ線２１との間隔や、把手片用裏半切れ線２４と把手片表半切れ線２６との間隔も、同じである。
【００３１】
把手片２３の形成する切り込み線２２も同様で、この切り込み線２２とそれに続く把手片用裏半切れ線２４が縦横にずれて、直線として繋がらない場合がある。このように直線的に繋がらないと、切り込み線２２からずれて破れることになり、確実な開封が出来なくなる。
このような問題を解決するものとして、本発明では把手片の切り込み線２２とその切り込み線に平行な把手片表半切れ線２６との間に、切り込み線の途中から、把手片の切り込み線２２に対し４５度以下の角度で補助表半切れ線２９を施した。
さらに、把手片の補助表半切れ線２９において、把手片の切り込み線２２との交点近傍を、切り込み線とした。
その為、もし、切れる位置がずれかかっても、確実に破断する位置が把手片２３から周縁表半切れ線２８に繋がるようになり、開封を確実なものにしている。
補助表半切れ線２９を切り込み線２２に対し４５度以下にしたのは、４５度以上だと、破断する破れの方向が垂直方向に曲がって、そのまま外側に外れてしまう方向になる恐れがあるためである。
【００３２】
本発明の紙製蓋２は、四角状紙製もしくはプラスチック製容器の平坦なフランジ部１１にシールされるものであるが、容器が丸型、三角状あるいは５角形状でもフランジ部が平坦であれば使用は可能である。
【００３３】
本発明は以上のようなもので、蓋の半分だけを容易に開封し、残りを取って置きやすいものである。また、どちらから開けることも出来るので、自由度が高い。
しかも、本発明の紙製蓋は、シール部に紙ムケ等がなく、外観上きれいに、確実に開封可能な紙製蓋とすることができる。さらに把手片が２本の切り込み線でなるので、開封のスタート性を良くし、容易に開封を可能にすることができる。
また、把手片の延長上に裏から把手片用裏半切れ線を設けたので、把手片用裏半切れ線に従い蓋表面が破れ、一見して開封した破れ跡が残るので、不正開封防止性に優れた紙製蓋とすることができる。
その上、製造工程で切り込み線と把手片用裏半切れ線の位置見当が合わない場合でも、短い予備裏半切れ線に沿って切れるので、確実な開封を可能にする。
そして、上記２本の把手片用裏半切れ線の外側に、かつ平行に、周縁表半切れ線まで予備表半切れ線を付加したので、この開封に際し、把手片用裏半切れ線から外れて破れた場合でも、破れが予備表半切れ線で矯正され、周縁表半切れ線に連結されて切れるので、開封をより確実にすることができる。
また、２本の切り込み線のいずれか一方を、中心方向に周縁表半切れ線近傍まで延長して設けることによって、より容易に開封可能な紙製蓋とすることができる。
従って本発明の紙製蓋を貼り合せた紙製もしくはプラスチック製容器は、半分開封する時には一方の把手だけで開封し、残りの半分を残しやすい。
さらに、残りの半分を出す時にも、次の把手を引き上げて開封することで、容易に取り出すことが出来るほか、今までの工程で、抜きの刃を変更するだけなので、生産性も高く、
コストの上昇も抑えられるなど、本発明のメリットは大きい。
【符号の説明】
【００３４】
１・・・・・・・・・容器
１１・・・・・・・・フランジ
１１１・・・・・・・フランジ部内縁
２・・・・・・・・・紙製蓋
２１・・・・・・・・中央分割表半切れ線
２２・・・・・・・・切り込み線
２３・・・・・・・・把手片
２４・・・・・・・・把手片用裏半切れ線
２５・・・・・・・・中央裏半切れ線
２６・・・・・・・・把手片用表半切れ線
２７・・・・・・・・周縁裏半切れ線
２８・・・・・・・・周縁表半切れ線
２９・・・・・・・・補助表半切れ線
【図１】
0006492697.tif 000002
【図２】
0006492697.tif 000003
【図３】
0006492697.tif 000004
【図４】
0006492697.tif 000005
【図５】
0006492697.tif 000006
【図６】
0006492697.tif 000007
【図７】
0006492697.tif 000008
【図８】
0006492697.tif 000009